(57)【要約】      （修正有）【課題】最外に網戸レールがあるどんな窓にも網戸が閉められるよう取付けられ、２階の窓でも室内から展開／収納および取付け／取外しができ、低価格で、さらに従来と同等な斜張機能と風によるバタつき防止機能を備えた日よけ具を実現する。【解決手段】四辺形のシート材１０７と上側シート支持軸１０８と上側シート支持軸を吊下げ上側シート支持軸上をスライド可能な支持軸ホルダー１０９と下側シート支持軸１１０とシート材に繋がる側を基端として他端の方向を自在に動かせる斜張用支柱１１１とシート材の下辺部両端に配置された斜張用ライン１１２を備える。また斜張用ラインをシート材の下辺部両端間を繋ぐ形状とし、斜張用ラインを掴むとともに斜張用ラインが内部でスライド可能な斜張用ライン受け１１３を備え、斜張用ライン受けを窓枠中央部の網戸枠に固定して用い、また斜張用支柱を収納する支柱収納部１１４をシート材の下辺部に備える。【選択図】図１
2008013994.tif 000002
【特許請求の範囲】
【請求項１】
四辺形のシート材と、該シート材の上辺部に沿って該シート材を支持する上側シート支持軸と、該上側シート支持軸を吊下げるとともに該上側シート支持軸上をスライド可能な支持軸ホルダーと、前記シート材の下辺部に沿って該シート材を支持する下側シート支持軸と、前記シート材の下辺部両端に配置され該シート材に繋がる側を基端として他端の方向を自在に動かせる斜張用支柱と、前記シート材の下辺部両端に配置された斜張用ラインを備えたことを特徴とする日よけ具。
【請求項２】
前記斜張用ラインを前記シート材の下辺部両端間を繋ぐ形状とし、前記斜張用ラインを掴むとともに前記斜張用ラインが内部でスライド可能な斜張用ライン受けを備えたことを特徴とする請求項１記載の日よけ具。
【請求項３】
前記斜張用ライン受けを窓枠中央部の網戸枠に固定して用いることを特徴とする請求項２記載の日よけ具。
【請求項４】
前記斜張用支柱を収納する支柱収納部を前記シート材の下辺部に備えたことを特徴とする請求項１から請求項３記載の日よけ具。
【発明の詳細な説明】
【技術分野】
【０００１】
本発明は夏の暑い日ざしを窓の外で遮るとともに室内に外気を取り入れられる斜張シートタイプの日よけ具の技術に関する。
【背景技術】
【０００２】
近年、地球環境への意識の高まりに加え、家庭における夏場のクーラー使用を抑えて電気代も下げるられるよう、窓に取付けられる斜張シートタイプの日よけ具が提案されている。
【０００３】
中でもマンション等の集合住宅や賃貸住宅では、サッシ枠や建物外壁への穴あけ加工が禁止されている場合があるため、軒と床面間に架設した縦支柱に日よけシートを取付けたり、日よけシートの下端をベランダの手摺に固定するタイプが提案されていた（例えば特許文献１，２参照）。
【０００４】
さらに軒と床面あるいは手摺を有するベランダが無い窓にも取付けられるものとして、サッシ枠に取付けた縦支柱に日よけシートを取付けるタイプも提案されていた（例えば特許文献３参照）。
【０００５】
また簾等の既存の日よけ具を利用する方法として、網戸レールや網戸枠に日よけ具ハンガーを取付け、さらに日よけ具ハンガーに吊るした簾等の下端を窓枠から張出した状態に支持する斜張装置が提案されていた（例えば特許文献４，５参照）。
【０００６】
【特許文献１】特開２００２−２１３０５６号公報
【特許文献２】特開２００３−３２８４３１号公報
【特許文献３】特開２００５−２８２２２６号公報
【特許文献４】特開２００２−２０９７１７号公報（図６，図９）
【特許文献５】特開２００２−１３６４２０号公報  以下、図１２、図１３、図１４により従来の斜張シートタイプの日よけ具について説明する。
【０００７】
図１２は特許文献３に記載された斜張シートタイプの日よけ具を示しており、サッシ枠１２０１の左右の縦枠１２０１ａに固定ブラケット１２０２を介して縦支柱１２０３が略垂直に固定され、縦支柱１２０３の上端部間には巻取ケース１２０４が横架されている。そして使用時には巻取ケース１２０４内に巻装されたシート材１２０５が引き出され、斜張用支柱１２０６により斜張された状態に保持される。
【０００８】
ここで、各固定ブラケット１２０２はハンマー等で叩いてサッシ枠１２０１に係合され、縦支柱１２０３はネジにより固定ブラケット１２０２に固定されている。
【０００９】
また縦支柱１２０３の下端部には下枠１２０７が横架されるとともに、巻取ケース１２０４と下枠１２０７は、ボルトによって縦支柱１２０３に固定されている。
【００１０】
このような構成により、特許文献３に記載された斜張シートタイプの日よけ具では、サッシ枠１２０１の幅が僅かしかない窓においても、建物外壁に穴あけ加工等をすることなく、さらに軒天井や強度のある床等が無い窓にも取付けができるという特徴を有している。
【００１１】
また図１３は特許文献４に記載された日よけ具ハンガーであり、１３０１は日よけ具ハンガーを網戸レールに装着した状態、１３０２は日よけ具ハンガーを網戸枠に装着した状態を示しており、このように取付け方法を選択して、簾等のシート状日よけ具を吊るすことが可能となっている。
【００１２】
また図１４は特許文献５に記載された簾等の日よけ具を斜張させる斜張装置を示しており、斜張装置１４０１は、斜張装置１４０１を窓枠下部に取りつける取付け部１４０２と、棒状の本体部１４０３と、簾の下端部を保持する係合部１４０４を備えている。 
そして斜張装置１４０１はサッシの下辺枠１４０５に取付けられ、簾１４０６の下端部１４０７を係合部１４０４に掛けて保持することで簾１４０６を風でバタつくことなく斜張保持できるという特徴を有している。なお１４０８は図１３に示した日よけ具ハンガーである。
【発明の開示】
【発明が解決しようとする課題】
【００１３】
しかしながら上記従来の斜張シートタイプの日よけ具のうち特許文献３の日よけ具では、縦支柱１２０３、巻取ケース１２０４、下枠１２０７等の大掛かりで多くの部材を必要とし低価格な日よけ具を実現し難かった。
【００１４】
さらに特許文献４，５の日よけ具ハンガーと斜張装置を用いる日よけ具では、最外に網戸レールが配置されたサッシ窓で蚊などの侵入を防ぐために網戸を完全に閉めたい場合には、図１３の１３０２に示したように日よけ具ハンガーは網戸枠に取付けて使用されるが、日よけ具ハンガーに保持された日よけ具がつっかえ棒となって網戸の開閉が制限されてしまい、よって日よけ具の展開／収納および取付け／取外しが室内からできず、２階の窓等では建物外から梯子等を用いなければ作業できないという不便さがあった。
【００１５】
本発明は、上記のような問題点を解決するためになされたもので、最外に網戸レールがあるどんな窓にも網戸が閉められるよう取付けられ、さらに２階の窓でも室内から展開／収納および取付け／取外しができ、さらに低価格でありながら従来と同等な斜張機能と風によるバタつき防止機能を備えた日よけ具を実現することを目的とする。
【課題を解決するための手段】
【００１６】
上記目的を達成するために、本発明にかかる日よけ具は、四辺形のシート材と、該シート材の上辺部に沿って該シート材を支持する上側シート支持軸と、該上側シート支持軸を吊下げるとともに該上側シート支持軸上をスライド可能な支持軸ホルダーと、前記シート材の下辺部に沿って該シート材を支持する下側シート支持軸と、前記シート材の下辺部両端に配置され該シート材に繋がる側を基端として他端の方向を自在に動かせる斜張用支柱と、前記シート材の下辺部両端に配置された斜張用ラインを備えたことを特徴とする。
【００１７】
また本発明にかかる日よけ具は、前記斜張用ラインを前記シート材の下辺部両端間を繋ぐ形状とし、前記斜張用ラインを掴むとともに前記斜張用ラインが内部でスライド可能な斜張用ライン受けを備えたことを特徴とする。
【００１８】
また本発明にかかる日よけ具は、前記斜張用ライン受けを窓枠中央部の網戸枠に固定して用いることを特徴とする。
【００１９】
また本発明にかかる日よけ具は、前記斜張用支柱を収納する支柱収納部を前記シート材の下辺部に備えたことを特徴とする。
【発明の効果】
【００２０】
本発明によれば、最外に網戸レールがあるどんな窓にも網戸が閉められるよう取付けられ、さらに２階の窓でも室内から展開／収納および取付け／取外しができ、さらに低価格でありながら従来と同等な斜張機能と風によるバタつき防止機能を備えた日よけ具を実現できるという効果を有する。
【発明を実施するための最良の形態】
【００２１】
（実施の形態１）
以下に、本発明の実施の形態について、図を用いて説明する。
【００２２】
図１は本発明の一実施の形態による日よけ具の斜視図、図２は本発明の一実施の形態による日よけ具の支持軸ホルダーを示す図、図３は本発明の一実施の形態による日よけ具の斜張用支柱の基端部を示す図、図４は本発明の一実施の形態による日よけ具の斜張用ラインと斜張用ライン受けを示す図、図５は本発明の一実施の形態による日よけ具の支柱収納部を示す図、図６は本発明の一実施の形態による日よけ具の斜張用支柱の他端部と斜張用支柱受けを示す図である。
【００２３】
図１において、１００は最外に網戸レールが配置されたサッシ窓に日よけ具を取付けた状態、１０１は最外に網戸レールが配置されたサッシ窓枠、１０２は網戸レール、１０３はガラス戸、１０４はガラス戸枠、１０５は網戸、１０６は網戸枠、１０７は四辺形のシート材、１０８は上側シート支持軸、１０９は支持軸ホルダー、１１０は下側シート支持軸、１１１は斜張用支柱、１１２は斜張用ライン、１１３は斜張用ライン受け、１１４は支柱収納部、１１５は日よけ具ハンガー、１１６は斜張用支柱受け、１１７は固定バンドである。
【００２４】
図１に示すように、本発明の一実施の形態の日よけ具は、四辺形のシート材１０７と、シート材１０７の上辺部に沿ってシート材１０７を支持する上側シート支持軸１０８と、上側シート支持軸１０８を吊下げるとともに上側シート支持軸１０８上をスライド可能な支持軸ホルダー１０９ａおよび１０９ｂと、シート材１０７の下辺部に沿ってシート材１０７を支持する下側シート支持軸１１０と、シート材１０７の下辺部両端に配置されシート材１０７に繋がる側を基端として他端の方向を自在に動かせる斜張用支柱１１１と、シート材１０７の下辺部両端に配置された斜張用ライン１１２を備えている。
【００２５】
さらに斜張用ライン１１２はシート材１０７の下辺部両端間を繋ぐ形状とし、斜張用ライン１１２を掴むとともに斜張用ライン１１２が内部でスライド可能な斜張用ライン受け１１３を備えている。
【００２６】
さらに斜張用ライン受け１１３は窓枠中央部の網戸枠１０６ａに固定している。
【００２７】
さらに斜張用支柱１１１を収納する支柱収納部１１４をシート材１０７の下辺部に備えている。
【００２８】
また図１に示すように、本発明の一実施の形態の日よけ具は、支持軸ホルダー１０９ａおよび１０９ｂを吊るすための日よけ具ハンガー１１５ａおよび１１５ｂを備え、一方の日よけ具ハンガー１１５ａを網戸枠１０６ｂに固定し、他方の日よけ具ハンガー１１５ｂを網戸レール１０２に固定して用いている。
【００２９】
さらに図１に示すように、本発明の一実施の形態の日よけ具は、斜張用支柱１１１の他端を斜張用支柱１１１の方向が自在に動かせるように繋ぎ止められる斜張用支柱受け１１６ａおよび１１６ｂを備え、斜張用支柱受け１１６ａを網戸枠１０６ｃに、斜張用支柱受け１１６ｂをガラス戸枠１０４に取付けて用いている。
【００３０】
ここで支持軸ホルダー１０９ａおよび１０９ｂ周辺部の詳細な様子を図２に示している。
【００３１】
図２において、２００は日よけ具ハンガー１１５ａを網戸枠１０６ｂに取付けた状態、２０１は日よけ具ハンガー１１５ｂを網戸レール１０２に取付けた状態、２０２は支持軸ホルダー１０９ａを上側シート支持軸１０８上をスライド可能とした状態、２０３は支持軸ホルダー１０９ｂを上側シート支持軸１０８上をスライド不可とした状態、２０４はハンガー固定ネジ、２０５はハンガーアーム、２０６はハンガーフック、２０７はホルダーホール、２０８はホルダースライド固定ネジである。
【００３２】
図２に示すように、一方の日よけ具ハンガー１１５ａは網戸枠１０６ｂにハンガー固定ネジ２０４を用いて固定され、他方の日よけ具ハンガー１１５ｂは網戸レール１０２にハンガー固定ネジ２０４を用いて固定されている。
【００３３】
また日よけ具ハンガー１１５ａおよび１１５ｂはハンガーアーム２０５とハンガーフック２０６を有し、また支持軸ホルダー１０９ａおよび１０９ｂはホルダーホール２０７を有しており、支持軸ホルダー１０９ａおよび１０９ｂはホルダーホール２０７を日よけ具ハンガー１１５ａおよび１１５ｂのハンガーフック２０６に掛けることで吊るされている。
【００３４】
ここで支持軸ホルダー１０９ａおよび１０９ｂはホルダースライド固定ネジ２０８を有しており、網戸１０６ｂに固定された側の支持軸ホルダー１０９ａは２０２に示すように固定ネジ２０８が緩められることにより固定ネジ２０８先端が吊下げている上側シート支持軸１０８から離れてスライド可能となり、網戸レール１０２に固定された側の支持軸ホルダー１０９ｂは２０３に示すように固定ネジ２０８が締められることにより固定ネジ２０８の先端が吊下げている上側シート支持軸１０８に突き当たりスライド不可な状態に設定されている。
【００３５】
また図１における斜張用支柱１１１の基端部の詳細な様子を図３に示している。
【００３６】
図３において、３００は斜張用支柱１１１の基端部の様子、３０１は斜張用支柱基端部の取付穴、３０２は斜張用支柱１１１の他端の可動方向である。
【００３７】
図３に示すように、斜張用支柱１１１は取付穴３０１を基端として他端の方向を３０２のように自在に動かせるように構成されている。
【００３８】
また図１における斜張用ライン１１２と斜張用ライン受け１１３の詳細な様子を図４に示している。
【００３９】
図４において、４００は斜張用ライン受け１１３を窓枠中央部の網戸枠１０６ａに固定して用いている様子、４０１は斜張用ライン受け１１３を網戸枠１０６ａに固定するための接着剤、４０２は斜張用ライン受け１１３を斜張用ライン１１２を掴むクリップ構造とするためのバネ、４０３は斜張用ライン受け１１３が斜張用ライン１１２を掴むとき、斜張用ライン１１２が斜張用ライン受け１１３内をスライド可能とするために設けた溝である。
【００４０】
つまり本発明の一実施の形態の日よけ具は、図１および図４に示すように、斜張用ライン１１２をシート材１０７の下辺部両端間を繋ぐ形状とし、斜張用ライン１１２を掴むとともに斜張用ライン１１２が内部でスライド可能な斜張用ライン受け１１３を備え、そして斜張用ライン受け１１３は窓枠中央部の網戸枠１０６ａに固定されている。
【００４１】
また図１における支柱収納部１１４の詳細な様子を図５に示している。
【００４２】
図５において、５００は支柱収納部１１４を袋状とした様子、５０１は支柱収納部１１４をスリット状とした様子である。
【００４３】
尚、支柱収納部１１４は斜張用支柱１１１を保持できる構造であればよく、図５に示すようなシート材１０７に別材を縫付けた袋状や、シート材１０７に切込みを入れたスリット状とすること以外の方法でも実現可能である。
【００４４】
また図１における斜張用支柱１１１の他端部と斜張用支柱受け１１６の詳細な様子を図６に示している。
【００４５】
図６において、６００は斜張用支柱受け１１６に斜張用支柱１１１の他端を繋ぎ止めた状態、６０１は斜張用支柱受け１１６と斜張用支柱１１１を横から見た状態、６０２は斜張用支柱１１１の可動方向、６０３は斜張用支柱受け１１６の固定用接着剤、６０４は斜張用支柱１１６の外れ防止板である。
【００４６】
図６に示すように、斜張用支柱受け１１６はガラス戸枠１０４あるいは網戸枠１０６上に、接着剤６０３を用いて固定されるとともに、斜張用支柱１１１は他端が自在な方向６０２に動かせるように斜張用支柱受け１１６に繋ぎ止められている。また斜張用支柱１１１が斜張用支柱受け１１６から容易に外れないように、ゴム等の柔軟な材料で作られた外れ防止板６０４が、斜張用支柱１１１を挟むように斜張用支柱受け１１６に取付けられている。
【００４７】
以上のように構成された一実施の形態を用いて、本発明の日よけ具が前記課題をどのように解決するかを図７から図１０を用いて説明する。
【００４８】
図７から図１０は本一実施の形態の日よけ具を、室内からしか取付け取外しができない２階の窓等に取付けた場合に、室内から取外しを行う手順を示している。なお取付ける場合は、図１０から図７と逆の手順で行えば良いので説明は省略する。
【００４９】
図７において７００は日よけ具を取付けた網戸１０５と網戸側のガラス戸７０１を開けた状態を示している。
【００５０】
図７において支持軸ホルダー１０９ａおよび１０９ｂは、図２の２０２および２０３に示したように、網戸枠１０６ｂに日よけ具ハンガー１１５ａが固定された側の支持軸ホルダー１０９ａは上側シート支持軸１０８上をスライド可能であり、網戸レール１０２に日よけ具ハンガー１１５ｂが固定された側の支持軸ホルダー１０９ｂは上側シート支持軸１０８上をスライド不可となっている。
【００５１】
よって図７に示すように、網戸１０５を開けると支持軸ホルダー１０９ａは上側シート支持軸１０８を吊下げながら上側シート支持軸１０８上をスライドし、このとき支持軸ホルダー１０９ｂは上側シート支持軸１０８上をスライドすることができないので、結果として上側シート支持軸１０８は移動することなく位置が保持される。
【００５２】
またこのとき、網戸枠１０６ｃに取付けられた斜張用支柱受け１１６ａは、網戸１０５とともに移動するが、図３および図６に示したように斜張用支柱１１１ａの基端部および他端は方向が自在に動かせるように繋ぎ止められているので、図７に示すようにシート材１０７が撓むだけで、網戸１０５を開くことが妨げられることはない。
【００５３】
さらにこのとき、図４に示したように斜張用ライン１１２は斜張用ライン受け１１３内をスライド可能なように掴まれているので、図７に示すように斜張用ライン１１２はスライドして撓むだけで、網戸１０５を開くことが妨げられることはない。
【００５４】
つまり本発明の請求項に示したように、四辺形のシート材１０７と、シート材１０７の上辺部に沿ってシート材１０７を支持する上側シート支持軸１０８と、上側シート支持軸１０８を吊下げるとともに上側シート支持軸１０７上をスライド可能な支持軸ホルダー１０９と、シート材１０７の下辺部に沿ってシート材を支持する下側シート支持軸１１０と、シート材１０７の下辺部両端に配置されシート材１０７に繋がる側を基端として他端の方向を自在に動かせる斜張用支柱１１１と、シート材１０７の下辺部両端に配置された斜張用ライン１１２を備えたことにより、最外に網戸レールが配置されたサッシ窓で蚊などの侵入を防ぐために網戸を完全に閉められるよう日よけ具ハンガーを網戸枠に取付けた場合でも、日よけ具ハンガーに保持された日よけ具がつっかえ棒となって網戸の開閉が制限されることがないので、２階の窓でも室内から展開／収納および取付け／取外しが可能となる。
【００５５】
そして斜張用支柱１１１を用いることで従来の斜張シートタイプの日よけ具と同等にシート材１０７を斜張できるとともに、斜張用ライン１１２がシート材１０７を支持する下側シート支持軸を下方向に引っ張る構造となっているので、従来の斜張シートタイプの日よけ具と同等に風によるバタつき防止機能を備えている。
【００５６】
さらに斜張用ライン１１２をシート材１０７の下辺部両端間を繋ぐ形状とし、斜張用ライン１１２を掴むとともに斜張用ライン１１２が内部でスライド可能な斜張用ライン受け１１３を窓枠中央部の網戸枠に固定することで、図１２に示した従来の斜張シートタイプの日よけ具のような縦支柱１２０３、巻取りケース１２０４、下枠１２０７等の窓枠に別枠を増設するような大掛かりで多くの部材が不要となり、よって低価格化が可能となる。
【００５７】
そして風でシート材１０７がバタつく力は斜張用ライン１１２を介して斜張用ライン受け１１３を接着面から引き剥がそうとするが、窓枠によっては斜張用ライン受け１１３が貼り付けられる平面部が確保できなかったり、また窓枠両端部のガラス戸枠や網戸枠には平面部があるもののガラス戸や網戸を閉めるとサイドレールに重なってしまい斜張用ライン受け１１３が貼り付けられる平面部として利用できなかったりして、窓によっては斜張用ライン受け１１３を貼り付けられず風によるバタつき防止機能を利用できない場合があるが、本発明の日よけ具によれば、窓枠中央部の網戸枠表面であれば、最外に網戸を有するどんな窓でも、斜張用ライン受け１１３を貼り付けて十分な接着強度を得るための十分大きな接着面積が確保でき、よって最外に網戸を有するどんな窓でも従来の斜張シートタイプの日よけ具と同等に風によるバタつき防止機能を損なわずに取付けることが可能となる。
【００５８】
次に上記のように網戸１０５を開けた後、日よけ具を収納する手順を以下に説明する。
【００５９】
図７において、網戸１０５および網戸側のガラス戸７０１が開けられれば、室内から手を出して斜張用支柱１１１ａの他端を斜張用支柱受け１１６ａから外し、外した斜張用支柱１１１ａは他端の方向を自在に動かすことが可能なので、他端を支柱収納部１１４ａに入れて保持することが可能となる。（図中７０２に示す作業）
よって後述するようにシート材１０７を下辺部から巻上げる場合に斜張用支柱１１１ａを手でシート材１０７の下辺部に添って平行に保持する必要がなくなるので、室内からの収納作業が容易になる。
【００６０】
次に図７の作業が終われば図８の作業に進む。
【００６１】
図８において８００は網戸１０５がない側のガラス戸１０４を開けた状態を示している。
【００６２】
図８において日よけ具ハンガー１１５ｂは網戸レール１０２に取付けられているので、ガラス戸１０４を開けても移動せず、よって上側シート支持軸１０８も移動することはない。
【００６３】
またこのとき、ガラス戸１０４に取付けられた斜張用支柱受け１１６ｂは、ガラス戸１０４とともに移動するが、図３および図６に示したように斜張用支柱１１１ｂの基端部および他端は方向が自在に動かせるように繋ぎ止められているので、図８に示すようにシート材１０７が撓むだけで、ガラス戸１０４を開くことが妨げられることはない。
【００６４】
さらにこのとき、斜張用ライン１１２は斜張用ライン受け１１３内をスライド可能の掴まれているので、斜張用ライン１１２はスライドして撓むだけで、ガラス戸１０４を開くことが妨げられることはない。
【００６５】
図８おいて、ガラス戸１０４が開けられれば、室内から手を出して斜張用支柱１１１ｂの他端を斜張用支柱受け１１６ｂから外し、外した斜張用支柱１１１ｂは他端の方向を自在に動かすことが可能なので、他端を支柱収納部１１４ｂに入れて保持することが可能となる。（図中８０１に示す作業）
よって後述するようにシート材１０７を下辺部から巻上げる場合に斜張用支柱１１１ｂを手でシート材１０７の下辺部に添って平行に保持する必要がなくなるので、室内からの収納作業が容易になる。
【００６６】
また斜張用ライン１１２はクリップである斜張用ライン受け１１３から外しておく。（図中８０２に示す作業）
図９には以上の作業によって下辺部から巻上げる準備ができたシート材１０７の状態を示している。
【００６７】
次に図１０は、図９のように準備ができたシート材１０７を下辺部から巻上げる手順を、室内側から見た状態で示しており、１０００は巻き始めを、１００１は巻上げ途中を、１００２は巻上げを完了して取外すまでをそれぞれ示している。
【００６８】
巻き始めの状態１０００において、斜張用支柱１１１ａ、１１１ｂは支柱収納部１１４ａ、１１４ｂに収納済みであり、手でシート材１０７の下辺部に添って平行に保持する必要がないので、作業者は網戸側もしくは網戸と反対側の開けた窓から外に手を出して、シート材１０７を下辺部から巻上げることが可能となる。
【００６９】
つまり斜張用支柱１１１ａおよび１１１ｂは他端部の方向が自在に動くよう構成されているので、そのままだと下に垂れ下がり、よってシート材１０７を巻上げるために離れた位置にある斜張用支柱１１１ａと１１１ｂを同時にシート材１０７の下辺に添わせるには、作業者が一人の場合では、作業者が窓から身を大きく乗り出さなければならず、２階の窓等では大変危険になるが、本発明の日よけ具では、斜張用支柱１１１ａおよび１１１ｂはそれぞれ支柱収納部１１４ａおよび１１４ｂ内に収納されているので、作業者はシート材１０７の一方の端を持って巻上げることが可能となり、安全で且つ一人で容易に巻上げることが可能となる。
【００７０】
尚、斜張用ライン１１２はシート材１０７を巻上げるときに簡単に巻き込ませることが可能である。
【００７１】
そして巻上げ途中の状態１００１を経て巻上げ完了の状態１００２となれば、矢印１００５のように固定バンド１１７ａおよび１１７ｂを巻上げたシート材１０７に掛けた後、矢印１００６のようにシート材１０７ごとシート支持ホルダー１０９ａおよび１０９ｂを日よけ具ハンガー１１５ａおよび１１５ｂから外すことで、収納作業が完了する。
【００７２】
尚この作業においても、固定バンド１１７は一方の固定バンドを掛ければ、シート材１０７は巻きが解けてしまうことなく保持されるので、窓の反対側に移動して他方の固定バンドを掛けることで、一人の作業者で行うことが可能となる。
【００７３】
また図２に示したように、支持軸ホルダー１０９ａおよび１０９ｂはホルダーホール２０７が日よけ具ハンガー１１５ａおよび１１５ｂのハンガーフック２０６に掛っているだけなので、作業者は一人で巻上げたシート材１０７の一方の端を持って取外すことが可能となる。
【００７４】
以上、本実施の形態によれば、本発明の請求項に示したように、四辺形のシート材１０７と、シート材１０７の上辺部に沿ってシート材１０７を支持する上側シート支持軸１０８と、上側シート支持軸１０８を吊下げるとともに上側シート支持軸１０７上をスライド可能な支持軸ホルダー１０９と、シート材１０７の下辺部に沿ってシート材を支持する下側シート支持軸１１０と、シート材１０７の下辺部両端に配置されシート材１０７に繋がる側を基端として他端の方向を自在に動かせる斜張用支柱１１１と、シート材１０７の下辺部両端に配置された斜張用ライン１１２を備えたことにより、最外に網戸レールが配置されたサッシ窓で蚊などの侵入を防ぐために網戸を完全に閉められるよう日よけ具ハンガーを網戸枠に取付けた場合でも、日よけ具ハンガーに保持された日よけ具がつっかえ棒となって網戸の開閉が制限されることがないので、２階の窓でも室内から展開／収納および取付け／取外しが可能となる。
【００７５】
そして斜張用支柱１１１を用いることで従来の斜張シートタイプの日よけ具と同等にシート材１０７を斜張できるとともに、斜張用ライン１１２がシート材１０７を支持する下側シート支持軸を下方向に引っ張る構造となっているので、従来の斜張シートタイプの日よけ具と同等に風によるバタつき防止機能を備えている。
【００７６】
さらに斜張用ライン１１２をシート材１０７の下辺部両端間を繋ぐ形状とし、斜張用ライン１１２を掴むとともに斜張用ライン１１２が内部でスライド可能な斜張用ライン受け１１３を窓枠中央部の網戸枠に固定することで、図１２に示した従来の斜張シートタイプの日よけ具のような縦支柱１２０３、巻取りケース１２０４、下枠１２０７等の窓枠に別枠を増設するような大掛かりで多くの部材が不要となり、よって低価格化が可能となる。
【００７７】
そして風でシート材１０７がバタつく力は斜張用ライン１１２を介して斜張用ライン受け１１３を接着面から引き剥がそうとするが、窓枠によっては斜張用ライン受け１１３が貼り付けられる平面部が確保できなかったり、また窓枠両端部のガラス戸枠や網戸枠には平面部があるもののガラス戸や網戸を閉めるとサイドレールに重なってしまい斜張用ライン受け１１３が貼り付けられる平面部として利用できなかったりして、窓によっては斜張用ライン受け１１３を貼り付けられず風によるバタつき防止機能を利用できない場合があるが、本発明の日よけ具によれば、窓枠中央部の網戸枠表面であれば、最外に網戸を有するどんな窓でも、斜張用ライン受け１１３を貼り付けて十分大きな接着強度を得るための十分大きな接着面積が確保でき、よって最外に網戸を有するどんな窓でも従来の斜張シートタイプの日よけ具と同等に風によるバタつき防止機能を損なわずに取付けることが可能となる。
【００７８】
さらに本発明の請求項に示したように、斜張用支柱１１１を収納する支柱収納部１１４をシート材１０７の下辺部に備えたことにより、室内からしか作業が行なえない２階の窓等でも取付け／取外しが簡単にできる日よけ具を実現できるという効果を有する。
（実施の形態２）
次に、本発明の他の実施の形態について、図を用いて説明する。
【００７９】
図１１は本発明の他の実施の形態による日よけ具の斜視図である。
【００８０】
図１１において、１１００は最外に網戸レールが配置されたサッシ窓に日よけ具を取付けた状態、１０１は最外に網戸レールが配置されたサッシ窓枠、１０２は網戸レール、１０３はガラス戸、１０４はガラス戸枠、１０５は網戸、１０６は網戸枠、１０７は四辺形のシート材、１０８は上側シート支持軸、１０９は支持軸ホルダー、１１０は下側シート支持軸、１１１は斜張用支柱、１１２は斜張用ライン、１１３は斜張用ライン受け、１１４は支柱収納部、１１５は日よけ具ハンガー、１１６は斜張用支柱受け、１１７は固定バンドである。
【００８１】
図１１に示すように、本実施の形態２の日よけ具は、四辺形のシート材１０７と、シート材１０７の上辺部に沿ってシート材１０７を支持する上側シート支持軸１０８と、上側シート支持軸１０８を吊下げるとともに上側シート支持軸１０８上をスライド可能な支持軸ホルダー１０９ａおよび１０９ｂと、シート材１０７の下辺部に沿ってシート材１０７を支持する下側シート支持軸１１０と、シート材１０７の下辺部両端に配置されシート材１０７に繋がる側を基端として他端の方向を自在に動かせる斜張用支柱１１１と、シート材１０７の下辺部両端に配置された斜張用ライン１１２を備えている。
【００８２】
さらに本実施の形態２の日よけ具では、斜張用支柱１１１を収納する支柱収納部１１４をシート材１０７の下辺部に備えている。
【００８３】
ここで前記の実施の形態１では、窓枠両端部に斜張用ライン受け１１３を十分な接着強度にて貼り付けられる平面部が確保できない窓でも風によるバタつき防止機能を利用できるように、斜張用ライン１１２をシート材１０７の下辺部両端間を繋ぐ形状とするとともに斜張用ライン受け１１３を窓枠中央部の網戸枠１０６ａに固定する方法を示したが、本実施の形態２では、窓枠両端部に斜張用ライン受け１１３を十分な接着強度にて貼り付けられる平面部が確保できる窓用に、斜張用ライン１１２をシート材の下辺部両端間を繋がずに両端部でそれぞれ独立したライン形状とするとともに窓枠両端部にそれぞれ独立して設けた斜張用ライン受け１１３に繋ぐ構造とした場合を示している。
【００８４】
そして本実施の形態２でも実施の形態１と同様に、日よけ具を取付けた状態で網戸１０５を開いた場合、窓枠両端部にそれぞれ独立して設けた斜張用ライン受け１１３が撓むだけで、網戸１０５を開くことが妨げられることはないので、２階の窓でも室内から日よけ具の展開／収納および取付け／取外しが可能となる。
【００８５】
さらに、図１２に示した従来の斜張シートタイプの日よけ具のような縦支柱１２０３、巻取りケース１２０４、下枠１２０７等の窓枠に別枠を増設するような大掛かりで多くの部材が不要となり、よって低価格化が可能となる。
【００８６】
尚、上記実施の形態１および実施の形態２では、支持軸ホルダー１０９を上側シート支持軸１０８を吊下げるとともに上側シート支持軸１０８上をスライド可能とするために、支持軸ホルダー１０９が上側シート支持軸１０８を上から掴む構造としたが、上側シート支持軸１０８に設けたレール内を支持軸ホルダー１０９がスライドする構造としても良く、本発明の効果の及ぶところであることは言うまでもない。
【００８７】
さらに、斜張用支柱受け１１１と斜張用ライン受け１１３を窓枠両端部のガラス戸枠１０４や網戸枠１０６に固定する方法を示したが、サッシ窓枠１０１や外壁面上にそれらを固定できる窓であれば、サッシ窓枠１０１上や外壁面上にそれらを固定して用いても良く、本発明の効果の及ぶところであることは言うまでもない。
【図面の簡単な説明】
【００８８】
【図１】本発明の一実施の形態による日よけ具の斜視図である。
【図２】本発明の一実施の形態による日よけ具の支持軸ホルダーを示す図である。
【図３】本発明の一実施の形態による日よけ具の斜張用支柱の基端部を示す図である。
【図４】本発明の一実施の形態による日よけ具の斜張用ラインと斜張用ライン受けを示す図である。
【図５】本発明の一実施の形態による日よけ具の支柱収納部を示す図である。
【図６】本発明の一実施の形態による日よけ具の斜張用支柱の他端部と斜張用支柱受けを示す図である。
【図７】本発明の一実施の形態による日よけ具の斜張支柱を収納するまでの手順１を示す図である。
【図８】本発明の一実施の形態による日よけ具の斜張支柱を収納するまでの手順２を示す図である。
【図９】本発明の一実施の形態による日よけ具の斜張支柱を収納するまでの手順３を示す図である。
【図１０】本発明の一実施の形態による日よけ具のシートを巻上げて取外すまでを示す図である。
【図１１】本発明の他の実施の形態による日よけ具の斜視図である。
【図１２】従来の日よけ具を示す正投影図である。
【図１３】従来の日よけ具ハンガーを示す斜視図である。
【図１４】従来の斜張装置の断面図である。
【符号の説明】
【００８９】
１００  最外に網戸レールが配置されたサッシ窓に日よけ具を取付けた状態
１０１  最外に網戸レールが配置されたサッシ窓枠
１０２  網戸レール
１０３  ガラス戸
１０４  ガラス戸枠
１０５  網戸
１０６  網戸枠
１０７  シート材
１０８  上側シート支持軸
１０９  支持軸ホルダー
１１０  下側シート支持軸
１１１  斜張用支柱
１１２  斜張用ライン
１１３  斜張用ライン受け
１１４  支柱収納部
１１５  日よけ具ハンガー
１１６  斜張用支柱受け
１１７  固定バンド
２００  日よけ具ハンガーを網戸枠に取付けた状態
２０１  日よけ具ハンガーを網戸レールに取付けた状態
２０２  支持軸ホルダーをスライド可能とした状態
２０３  支持軸ホルダーをスライド不可とした状態
２０４  ハンガー固定ネジ
２０５  ハンガーアーム
２０６  ハンガーフック
２０７  ホルダーホール
２０８  ホルダースライド固定ネジ
３００  斜張用支柱の基端部の様子
３０１  斜張用支柱基端部の取付穴
３０２  斜張用支柱の他端の可動方向
４００  斜張用ライン受けを窓枠中央部の網戸枠に固定して用いている様子
４０１  斜張用ライン受けを網戸枠に固定するための接着剤
４０２  斜張用ライン受けを斜張用ラインを掴むクリップ構造とするためのバネ
４０３  斜張用ライン受けに設けた斜張用ラインのスライド溝
５００  支柱収納部を袋状とした様子
５０１  支柱収納部をスリット状とした様子
６００  斜張用支柱受けに斜張用支柱の他端を繋ぎ止めた状態
６０１  斜張用支柱受けと斜張用支柱を横から見た状態
６０２  斜張用支柱の可動方向
６０３  斜張用支柱受けの固定用接着剤
６０４  斜張用支柱の外れ防止板
７００  日よけ具を取付けた網戸と網戸側のガラス戸を開けた状態
７０１  網戸側のガラス戸
７０２  斜張用支柱の他端を支柱収納部に入れる作業
８００  網戸がない側のガラス戸を開けた状態
８０１  斜張用支柱の他端を支柱収納部に入れる作業
８０２  斜張用ラインを斜張用ライン受けから外す作業
１０００  シート材の巻き始め
１００１  シート材の巻上げ途中
１００２  シート材の巻上げ完了と取外し
１００３  巻上げ作業
１００４  巻上げ作業
１００５  バンド掛け作業
１００６  取り外し作業
１１００  最外に網戸レールが配置されたサッシ窓に日よけ具を取付けた状態
１２０１  サッシ枠
１２０２  固定ブラケット
１２０３  縦支柱
１２０４  巻取ケース
１２０５  シート材
１２０６  斜張用支柱
１２０７  下枠
１３０１  日よけ具ハンガーを網戸レールに装着した状態
１３０２  日よけ具ハンガーを網戸枠に装着した状態
１４０１  斜張装置
１４０２  取付け部
１４０３  本体部
１４０４  係合部
１４０５  サッシの下辺枠
１４０６  簾
１４０７  簾の下端部
１４０８  日よけ具ハンガー
【図１】
2008013994.tif 000003
【図２】
2008013994.tif 000004
【図３】
2008013994.tif 000005
【図４】
2008013994.tif 000006
【図５】
2008013994.tif 000007
【図６】
2008013994.tif 000008
【図７】
2008013994.tif 000009
【図８】
2008013994.tif 000010
【図９】
2008013994.tif 000011
【図１０】
2008013994.tif 000012
【図１１】
2008013994.tif 000013
【図１２】
2008013994.tif 000014
【図１３】
2008013994.tif 000015
【図１４】
2008013994.tif 000016